(57)【要約】【課題】表示用で利用されているＬＥＤを使用して、細かな位置調整が不要で、かつ、低コストな構成でディスプレイ側筐体の開閉を検出することが可能な情報処理装置およびその開閉検出装置を提供することを目的とする。【解決手段】本体側筐体２の入力部４側およびディスプレイ側筐体３の表示デバイス５側にそれぞれ設けられ、ディスプレイ側筐体３が閉じられたときに対向する位置に配置され、かつ、表示用の発光手段として機能すると共に、受光手段として機能するＬＥＤ１，２と、ＬＥＤ１，２の受光検出結果に基づいて、ディスプレイ側筐体３の開閉を検出するエンベデッドコントローラとを備えている。【選択図】        図１
2011095987.tif 000002
【特許請求の範囲】
【請求項１】
入力部が設けられた本体側筐体と、当該本体側筐体に対して開閉可能に設けられ、閉じられたときに前記入力部に対向する側に表示デバイスが設けられたディスプレイ側筐体と、を備えた情報処理装置において、
前記本体側筐体の入力部側およびディスプレイ側筐体の表示デバイス側にそれぞれ設けられ、前記ディスプレイ側筐体が閉じられたときに対向する位置に配置され、かつ、表示用の発光手段として機能すると共に、受光手段として機能する、第１および第２のＬＥＤと、
前記第１、第２のＬＥＤの受光検出結果に基づいて、前記ディスプレイ側筐体の開閉を検出する開閉検出手段と、を備え、
前記第１のＬＥＤと前記第２のＬＥＤは、一方が点灯して発光手段として機能してときには、他方が消灯して受光手段として機能するように構成されており、
前記開閉検出手段は、消灯しているＬＥＤの受光検出結果に基づいて、前記ディスプレイ側筐体の開閉を検出することを特徴とする情報処理装置。
【請求項２】
前記開閉検出手段は、消灯しているＬＥＤの受光検出結果が第１の所定範囲内である場合に前記ディスプレイ側筐体が閉じられたと判断することを特徴とする請求項１に記載の情報処理装置。
【請求項３】
前記第１のＬＥＤは、装置が不使用状態の場合に発光するＬＥＤであり、第２のＬＥＤは装置が使用状態の場合に発光するＬＥＤであることを特徴とする請求項１または請求項２に記載の情報処理装置。
【請求項４】
さらに、前記ディスプレイ側筐体の表示デバイス側に設けられ、当該ディスプレイ側筐体が閉じられた場合に遮光される第１の受光手段を備え、
前記開閉検出手段は、前記消灯しているＬＥＤおよび前記第１の受光手段の受光検出結果に基づいて、前記ディスプレイ側筐体の開閉を検出することを特徴とする請求項１〜請求項３のいずれか１つに記載の情報処理装置。
【請求項５】
前記開閉検出手段は、消灯しているＬＥＤの受光検出結果が第１の所定範囲内にあり、かつ、前記第１の受光手段の受光検出結果が第２の所定範囲内にある場合に、前記ディスプレイ側筐体が閉じられたと判断する一方、
消灯しているＬＥＤの受光検出結果が第１の所定範囲外にあり、かつ、前記第１の受光手段の受光検出結果が第２の所定範囲外にある場合に、前記ディスプレイ側筐体が開いたと判断することを特徴とする請求項４に記載の情報処理装置。
【請求項６】
前記第１の受光手段は、カメラが動作しているときに点灯するカメラ用ＬＥＤ、または、
ハードディスクが動作しているときに点灯するハードディスク用ＬＥＤであることを特徴とする請求項４または請求項５に記載の情報処理装置。
【請求項７】
さらに、前記ディスプレイ側筐体の表示デバイス側と反対側の面に設けられた第２の受光手段を備え、
前記開閉検出手段は、前記消灯しているＬＥＤ、前記第１の受光手段、および前記第２の受光手段の受光検出結果に基づいて、前記ディスプレイ側筐体の開閉を検出することを特徴とする請求項１〜請求項６のいずれか１つに記載の情報処理装置。
【請求項８】
前記開閉検出手段は、消灯しているＬＥＤの受光検出結果が第１の所定範囲内にあり、前記第１の受光手段の受光検出結果が第２の所定範囲内にあり、かつ、前記第２の受光手段の受光検出結果が前記消灯しているＬＥＤの受光検出結果と略同一の場合に、前記ディスプレイ側筐体が閉じられたと判断する一方、
消灯しているＬＥＤの受光検出結果が第１の所定範囲外にあり、前記第１の受光手段の受光検出結果が第２の所定範囲外にあり、かつ、前記第２の受光手段の受光検出結果が前記消灯しているＬＥＤの受光検出結果と略同一の場合に、前記ディスプレイ側筐体が開いたと判断することを特徴とする請求項７に記載の情報処理装置。
【請求項９】
前記第２の受光手段は、ＡＬＳ（ambient light sensor）であることを特徴とする請求項７または請求項８に記載の情報処理装置。
【請求項１０】
入力部が設けられた本体側筐体と、当該本体側筐体に対して開閉可能に設けられ、閉じられたときに前記入力部に対向する側にディスプレイが設けられたディスプレイ側筐体と、を備えた情報処理装置の開閉検出装置において、
前記本体側筐体の入力部側およびディスプレイ側筐体のディスプレイ側にそれぞれ設けられ、前記ディスプレイ側筐体が閉じられたときに対向する位置に配置され、かつ、表示用の発光手段として機能すると共に、受光手段として機能する第１および第２のＬＥＤと、
前記第１、第２のＬＥＤの受光検出結果に基づいて、前記ディスプレイ側筐体の開閉を検出する開閉検出手段と、を備え、
前記第１のＬＥＤと前記第２のＬＥＤは、一方が点灯して発光手段として機能してときには、他方が消灯して受光手段として機能するように構成されており、
前記開閉検出手段は、消灯しているＬＥＤの受光検出結果に基づいて、前記ディスプレイ側筐体の開閉を検出することを特徴とする情報処理装置の開閉検出装置。
【発明の詳細な説明】
【技術分野】
【０００１】
本発明は、情報処理装置およびその開閉検出装置に関し、詳細には、細かな位置調整が不要で、かつ、低コストな構成でディスプレイ側筐体の開閉を検出することが可能な情報処理装置および開閉検出装置に関する。
【背景技術】
【０００２】
一般に、ノート型ＰＣにおいては、消費電力を軽減するため、省電力モードへ移行できる機能を採用する等の方策がとられている。また、そのような方策の１つを実現するものとして、ディスプレイが設けられた蓋が閉じられたとき、その状態では使用不能となり、使用されることはないので、自動的に省電力モードに移行するようにしたものが知られている。この場合、蓋が閉じられたか否かを判定する必要があるが、かかる判定を行う手段として、従来、マグネットと、それが形成する磁場を検出する磁石センサやホール効果ＩＣとを利用したものが用いられている。この組合せによる判定手段は、非接触で蓋の開閉を検出することが可能となる。
【先行技術文献】
【特許文献】
【０００３】
【特許文献１】特開２００７−２２７１８４号公報
【特許文献２】特開２００４−１９２９３６号公報
【発明の概要】
【発明が解決しようとする課題】
【０００４】
しかしながら、マグネットと磁気センサやホール効果ＩＣを用いる構成では、製造工程において、マグネットと、磁気センサやホール効果ＩＣを配置する場合に繊細な位置調整が必要となり、製造が複雑になるという問題がある。また、マグネットと磁気センサやホール効果ＩＣを用いる構成では、高コストになるという問題がある。
【０００５】
ところで、ノート型ＰＣでは、その状態表示用途で各種ＬＥＤが搭載されている。かかるＬＥＤは、発光していない状態でその暗電流を検出して光センサとして使用することができる。
【０００６】
例えば、特許文献１のＬＥＤ照明装置では、制御部は、点灯状態のＬＥＤモジュールと消灯状態のＬＥＤモジュールとが混在する期間が時系列的に現れるように各ＬＥＤモジュールを各別に制御するとともに、消灯状態のＬＥＤモジュールの各ＬＥＤそれぞれをフォトダイオードとして動作させ、当該フォトダイオードとして動作させる各ＬＥＤの出力に基づいて点灯状態のＬＥＤモジュールの各ＬＥＤそれぞれの光出力が記憶部に記憶されている基準値となるように順方向電流の通電量をフィードバック制御している。
【０００７】
また、特許文献２のフラッシュランプでは、発光手段および受光手段としてのＬＥＤに、アナログスイッチによりＬＥＤ５の受光状態に基づき周囲の明暗に応じた明暗検出信号を出力する受光回路または前記ＬＥＤを発光させる駆動回路を接続し、１チップマイコンにより、アナログスイッチを受光回路側に切り換えて明暗検出信号を得、周囲の明暗を判定する制御ループを実行し、この制御ループ実行中、周囲が暗い場合はアナログスイッチを所定の点灯時間だけ駆動回路側に切り換えてＬＥＤを発光させている。
【０００８】
本発明は、上記課題に鑑みてなされたものであり、表示用で利用されているＬＥＤを使用して、細かな位置調整が不要で、かつ、低コストな構成でディスプレイ側筐体の開閉を検出することが可能な情報処理装置およびその開閉検出装置を提供することを目的とする。
【課題を解決するための手段】
【０００９】
上述した課題を解決し、目的を達成するために、本発明は、入力部が設けられた本体側筐体と、当該本体側筐体に対して開閉可能に設けられ、閉じられたときに前記入力部に対向する側に表示デバイスが設けられたディスプレイ側筐体と、を備えた情報処理装置において、前記本体側筐体の入力部側およびディスプレイ側筐体の表示デバイス側にそれぞれ設けられ、前記ディスプレイ側筐体が閉じられたときに対向する位置に配置され、かつ、表示用の発光手段として機能すると共に、受光手段として機能する、第１および第２のＬＥＤと、前記第１、第２のＬＥＤの受光検出結果に基づいて、前記ディスプレイ側筐体の開閉を検出する開閉検出手段と、を備え、前記第１のＬＥＤと前記第２のＬＥＤは、一方が点灯して発光手段として機能してときには、他方が消灯して受光手段として機能するように構成されており、前記開閉検出手段は、消灯しているＬＥＤの受光検出結果に基づいて、前記ディスプレイ側筐体の開閉を検出することを特徴とする。
【００１０】
また、本発明の好ましい態様によれば、前記開閉検出手段は、消灯しているＬＥＤの受光検出結果が第１の所定範囲内である場合に前記ディスプレイ側筐体が閉じられたと判断することが望ましい。
【００１１】
また、本発明の好ましい態様によれば、前記第１のＬＥＤは、装置が不使用状態の場合に発光するＬＥＤであり、第２のＬＥＤは装置が使用状態の場合に発光するＬＥＤであることが望ましい。
【００１２】
また、本発明の好ましい態様によれば、前記ディスプレイ側筐体の表示デバイス側に設けられ、当該ディスプレイ側筐体が閉じられた場合に遮光される第１の受光手段を備え、
前記開閉検出手段は、前記消灯しているＬＥＤおよび前記第１の受光手段の受光検出結果に基づいて、前記ディスプレイ側筐体の開閉を検出することが望ましい。
【００１３】
また、本発明の好ましい態様によれば、前記開閉検出手段は、消灯しているＬＥＤの受光検出結果が第１の所定範囲内にあり、かつ、前記第１の受光手段の受光検出結果が第２の所定範囲内にある場合に、前記ディスプレイ側筐体が閉じられたと判断する一方、消灯しているＬＥＤの受光検出結果が第１の所定範囲外にあり、かつ、前記第１の受光手段の受光検出結果が第２の所定範囲外にある場合に、前記ディスプレイ側筐体が開いたと判断することが望ましい。
【００１４】
また、本発明の好ましい態様によれば、前記第１の受光手段は、カメラが動作しているときに点灯するカメラ用ＬＥＤ、または、ハードディスクが動作しているときに点灯するハードディスク用ＬＥＤであることが望ましい。
【００１５】
また、本発明の好ましい態様によれば、前記ディスプレイ側筐体の表示デバイス側と反対側に設けられた第２の受光手段を備え、前記開閉検出手段は、前記消灯しているＬＥＤ、前記第１の受光手段、および前記第２の受光手段の受光検出結果に基づいて、前記ディスプレイ側筐体の開閉を検出することが望ましい。
【００１６】
また、本発明の好ましい態様によれば、前記開閉検出手段は、消灯しているＬＥＤの受光検出結果が第１の所定範囲内にあり、前記第１の受光手段の受光検出結果が第２の所定範囲内にあり、かつ、前記第２の受光手段の受光検出結果が前記消灯しているＬＥＤの受光検出結果と略同一の場合に、前記ディスプレイ側筐体が閉じられたと判断する一方、消灯しているＬＥＤの受光検出結果が第１の所定範囲外にあり、前記第１の受光手段の受光検出結果が第２の所定範囲外にあり、かつ、前記第２の受光手段の受光検出結果が前記消灯しているＬＥＤの受光検出結果と略同一の場合に、前記ディスプレイ側筐体が開いたと判断することが望ましい。
【００１７】
また、本発明の好ましい態様によれば、前記第２の受光手段は、ＡＬＳ（ambient  light  sensor）であることが望ましい。
【００１８】
また、上述した課題を解決し、目的を達成するために、本発明は、入力部が設けられた本体側筐体と、当該本体側筐体に対して開閉可能に設けられ、閉じられたときに前記入力部に対向する側にディスプレイが設けられたディスプレイ側筐体と、を備えた情報処理装置の開閉検出装置において、前記本体側筐体の入力部側およびディスプレイ側筐体のディスプレイ側にそれぞれ設けられ、前記ディスプレイ側筐体が閉じられたときに対向する位置に配置され、かつ、表示用の発光手段として機能すると共に、受光手段として機能する第１および第２のＬＥＤと、前記第１、第２のＬＥＤの受光検出結果に基づいて、前記ディスプレイ側筐体の開閉を検出する開閉検出手段と、を備え、前記第１のＬＥＤと前記第２のＬＥＤは、一方が点灯して発光手段として機能してときには、他方が消灯して受光手段として機能するように構成されており、前記開閉検出手段は、消灯しているＬＥＤの受光検出結果に基づいて、前記ディスプレイ側筐体の開閉を検出することを特徴とする。
【発明の効果】
【００１９】
本発明によれば、入力部が設けられた本体側筐体と、当該本体側筐体に対して開閉可能に設けられ、閉じられたときに前記入力部に対向する側にディスプレイが設けられたディスプレイ側筐体と、を備えた情報処理装置において、前記本体側筐体の入力部側およびディスプレイ側筐体のディスプレイ側にそれぞれ設けられ、前記ディスプレイ側筐体が閉じられたときに対向する位置に配置され、かつ、状態表示用途で発光手段として機能すると共に、受光手段として機能する第１および第２のＬＥＤと、前記第１、第２のＬＥＤの受光検出結果に基づいて、前記ディスプレイ側筐体の開閉を検出する開閉検出手段と、を備え、前記第１のＬＥＤと前記第２のＬＥＤは、一方が点灯して発光手段として機能しているときには、他方が消灯して受光手段として機能するように構成されており、前記開閉検出手段は、消灯しているＬＥＤの受光検出結果に基づいて、前記ディスプレイ側筐体の開閉を検出することとしたので、表示用で利用されているＬＥＤを使用して、細かな位置調整が不要で、かつ、低コストな構成でディスプレイ側筐体の開閉を検出することが可能な情報処理装置およびその開閉検出装置を提供することが可能になるという効果を奏する。
【図面の簡単な説明】
【００２０】
【図１】図１は、本発明の実施の形態１に係る情報処理装置を適用したノート型パソコンの概略の外観図である。
【図２】図２は、図１のノート型パソコンの概略のハードウェア構成例を示す図である。
【図３】図３は、エンベデッドコントローラによるディスプレイ側筐体の開閉検出動作を説明するためのフローチャートである。
【図４】図４は、本発明の実施の形態２に係る情報処理装置を適用したノート型パソコンの概略の外観図である。
【図５】図５は、図４のノート型パソコンの概略のハードウェア構成例を示す図である。
【図６】図６は、実施の形態２に係るエンベデッドコントローラによるディスプレイ側筐体の開閉検出動作を説明するためのフローチャートである。
【図７】図７は、本発明の実施の形態３に係る情報処理装置を適用したノート型パソコンの概略の外観図である。
【図８】図８は、図７のノート型パソコンの概略のハードウェア構成例を示す図である。
【図９−１】図９−１は、実施の形態３に係るエンベデッドコントローラによるディスプレイ側筐体の開閉検出動作を説明するためのフローチャートである（その１）。
【図９−２】図９−２は、実施の形態３に係るエンベデッドコントローラによるディスプレイ側筐体の開閉検出動作を説明するためのフローチャートである（その２）。
【発明を実施するための形態】
【００２１】
以下に、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。 
【００２２】
（実施の形態１）
図１は、本発明の実施の形態１に係る情報処理装置を適用したノート型パソコンの概略の外観図であり、（ａ）は、ディスプレイ側筐体が開いている状態、（ｂ）は、ディスプレイ側筐体が閉じている状態を示している。
【００２３】
実施の形態１に係るノート型パソコン１は、図１に示すように、略直方体である本体側筐体２およびディスプレイ側筐体３を備えている。本体側筐体２およびディスプレイ側筐体３は、それぞれの端部で左右の一対の連結部（ヒンジ部）７ａ、７ｂによって連結されており、連結部７ａ、７ｂは、これらの筐体を開閉自在に支持している。
【００２４】
ディスプレイ側筐体３は、本体側筐体２からの指令に応じて、各種の情報が表示される表示デバイス５と、表示デバイス５の上方に設けられたカメラ６を備えている。本体側筐体２は、その上面に、キーボードおよびトラックポイント（ポインティング・デバイス）等を有する入力部４を備えている。また、ディスプレイ側筐体３の表示デバイス５の下方中央には、システム状態（ＡＣＰＩステート）がＳ３〜Ｓ５で点灯するサスペンド表示用のＬＥＤ１（第１のＬＥＤ）が設けられている。本体側筐体２の奥側中央には、システム状態がＳ０〜Ｓ２で点灯するパワーＯＮ用のＬＥＤ２（第２のＬＥＤ）が設けられている。ＬＥＤ１とＬＥＤ２は、ディスプレイ側筐体３が閉じられた状態で対向する位置に配置されている。ＬＥＤ１とＬＥＤ２は、一方が点灯している場合は、他方は消灯している。
【００２５】
ディスプレイ側筐体３が閉じられた状態では、Ｓ０〜Ｓ２の場合は、消灯状態のＬＥＤ１が点灯状態のＬＥＤ２の照射光を受光することになる。ディスプレイ側筐体３が閉じられた状態でＬＥＤ１が検出する照度は、第１の所定値（例えば、２０Ｌｕｘ）となるように、本体側筐体２，ディスプレイ側筐体３，およびＬＥＤ１，２が構成されている（外部から光りが入り込まないようになっている。）
【００２６】
同様に、Ｓ３〜Ｓ５の場合は、消灯状態のＬＥＤ２が点灯状態のＬＥＤ１の照射光を受光することになる。ディスプレイ側筐体３が閉じられた状態において、ＬＥＤ２が検出する照度は、第１の所定値（例えば、２０Ｌｕｘ）となるように、本体側筐体２，ディスプレイ側筐体３，およびＬＥＤ１，２が構成されている（外部から光りが入り込まないようになっている。）
【００２７】
本実施の形態では、表示用で使用されているＬＥＤ１，２を、消灯状態で受光手段として利用することにより、細かな位置調整が不要で、かつ、低コストな構成でディスプレイ側筐体３の開閉を検出している。ＬＥＤ１，２は、表示用の発光手段およびディスプレイ側筐体３の開閉検出用の受光手段として機能し、消灯しているＬＥＤの受光検出結果に基づいて、ディスプレイ側筐体３の開閉を検出する。
【００２８】
図２は、図１のノート型パソコン１の概略のハードウェア構成例を示す図である。ノート型パソコン１は、同図に示すように、ＣＰＵ３１、ＲＯＭ３２、メモリ３３、ＨＤＤ（ハードディスク）３４、表示デバイス５、カメラ６，グラフィックスアダプタ３５、エンベデッドコントローラ３６、入力部４と、電源回路３７、ＬＥＤ１〜２等を備えており、各部はバスを介して直接または間接的に接続されている。
【００２９】
ＣＰＵ３１は、バスを介して接続されたＨＤＤ３４に格納されたＯＳ３４ａによりノート型パソコン１全体の制御を行うとともに、ＨＤＤ３４に格納された各種のプログラムに基づいて処理を実行する機能を司る。ＲＯＭ３２は、ＢＩＯＳ（Ｂａｓｉｃ  Ｉｎｐｕｔ／Ｏｕｔｐｕｔ  Ｓｙｓｔｅｍ：基本入出力システム）３２ａやデータ等を格納している。  
【００３０】
メモリ３３は、キャッシュメモリやＲＡＭで構成されており、ＣＰＵ３１の実行プログラムの読み込み領域として、実行プログラムの処理データを書き込む作業領域として利用される書き込み可能メモリである。 
【００３１】
ＨＤＤ（ハードディスク）３４は、例えば、Ｗｉｎｄｏｗｓ（登録商標）ＸＰ、Ｖｉｓｔａ、７等のノート型パソコン１全体の制御を行うためのＯＳ３４ａ、周辺機器類をハードウェア操作するための表示ドライバ等の各種ドライバ３４ｂ、特定業務に向けられたアプリケーションプログラム３４ｃ等を記憶する機能を有する。 
【００３２】
グラフィックスアダプタ３５は、ＣＰＵ３１の制御に従って、表示情報をビデオ信号に変換し、変換したビデオ信号を表示デバイス５に出力する。表示デバイス５は、例えば、液晶表示デバイスであり、ＣＰＵ３１の制御に従って、各種情報を表示する機能を有している。
【００３３】
カメラ６は、被写体光を結像するレンズと、ＣＣＤ（Charge  Coupled  Device）またはＣＭＯＳ（Complementary  Metal-Oxide  Semiconductor）センサ等の撮像素子と、撮像素子を駆動するドライバ、Ａ／Ｄ変換器、ＤＳＰ等を備えており、ＣＰＵ３１の制御に従って被写体を撮像して画像データを入力する。
【００３４】
エンベデッドコントローラ３６は、入力部４、電源回路３７、ＬＥＤ駆動回路４１，４２およびＬＥＤ受光回路５１，５２が接続されており、これらの動作を制御する。エンベデッドコントローラ３６は、電源回路３７を制御して、システム状態（ＡＣＰＩステート）に応じた電源コントロールを行なう。システム状態は、６つのステートＳ０〜Ｓ５が規定されており、Ｓ０はフル稼働状態、Ｓ１は低消費電力状態（ただし、プロセッサ、チップセットともに電源オン）、Ｓ２は低消費電力状態（ただし、プロセッサとキャッシュは電源オフ、チップセットは電源オン）、Ｓ３はスタンバイ状態、Ｓ４は休止状態、Ｓ５はソフトウェアによる電源オフを示している。ここで、Ｓ０〜Ｓ２の状態を装置の使用状態、Ｓ３以下の状態（Ｓ３〜Ｓ５）を装置の不使用状態と称する。
【００３５】
また、エンベデッドコントローラ３６は、ＬＥＤ駆動回路４１，４２およびＬＥＤ受光回路５１，５２の動作を制御して、ＬＥＤ１、ＬＥＤ２の点灯および光検出を制御する。ＬＥＤ１，２は、ＬＥＤ駆動回路４１，４２およびＬＥＤ受光回路５１，５２にそれぞれ接続されており、表示用の発光手段として機能するとともに、ディスプレイ側筐体３の開閉検出用の受光手段としても機能する。ＬＥＤ１，２は、周知の如く半導体から構成され、電流印加により発光するとともに、受光することにより電流を発生する。
【００３６】
ＬＥＤ受光回路４１，４２は、アンプや電流−電圧変換用抵抗等を備えており、ＬＥＤ１，２の受光強度に応じた受光電流を電圧信号に変換して、エンベデッドコントローラ３６に出力する。ＬＥＤ駆動回路５１，５２は、エンベデッドコントローラ３６の指令に応じてＬＥＤ１，２を点灯または消灯させる。
【００３７】
エンベデッドコントローラ３６は、システム状態がＳ０〜Ｓ２の場合に、ＬＥＤ２を点灯させ（ＬＥＤ１は消灯）、システム状態Ｓ３〜Ｓ５の場合にＬＥＤ１を点灯させる（ＬＥＤ２は消灯）。このように、ＬＥＤ１とＬＥＤ２は、異なる状態となり、一方が点灯し、他方が消灯している状態となるので、Ｓ０〜Ｓ５でディスプレイ側筐体３の開閉を検出することが可能となる。
【００３８】
エンベデッドコントローラ３６は、ディスプレイ側筐体３の開閉を検出する開閉検出手段として機能する。エンベデッドコントローラ３６は、ＬＥＤ受光回路４１，４２を介して、ＬＥＤ１，２から受光強度に応じた電圧信号を入力してＡ／Ｄ変換して得られる検出照度が、第１の所定範囲内（例えば、２０±１Ｌｕｘ）にあるか否かを判断する。エンベデッドコントローラ３６は、ＬＥＤ１、ＬＥＤ２の一方の検出照度が第１の所定範囲内にある場合に、ディスプレイ側筐体３が閉じられた状態と判断し、ＬＥＤ１、ＬＥＤ２の両方の検出照度が第１の所定範囲内にない場合に、ディスプレイ側筐体３が開いている状態と判断する。エンベデッドコントローラ３６は、ディスプレイ側筐体３の開閉状態をＣＰＵ３１に通知する。
【００３９】
入力部４は、ユーザが入力操作を行うためのユーザインターフェースであり、文字、コマンド等を入力する各種キーより構成されるキーボードや、画面上のカーソルを移動させたり、各種メニューを選択するトラックスポインタ等を備えている。 
【００４０】
電源回路３７は、ＡＣアダプタ、インテリジェント電池、インテリジェント電池を充電するための充電器、およびＤＣ／ＤＣコンバータ等を備えている。エンベデットコントローラ３６は、ＢＩＯＳ３２ａの指示に従って、電源回路３７による各デバイスへの電力供給を制御して、システム状態の管理を行う。 
【００４１】
つぎに、エンベデッドコントローラ３６によるディスプレイ側筐体３の開閉検出動作を説明する。図３は、エンベデッドコントローラ３６によるディスプレイ側筐体３の開閉検出動作を説明するためのフローチャートである。エンベデッドコントローラ３６は、所定周期で図３のフローチャートに示す処理を繰り返し実行する。
【００４２】
図３において、まず、エンベデッドコントローラ３６は、システム状態を判断し（ステップＳ１０）、システム状態がＳ０〜Ｓ２である場合には、ステップＳ１１に移行する一方、システム状態がＳ３〜Ｓ５の場合には、ステップＳ１２に移行する。
【００４３】
ステップＳ１１では、エンベデッドコントローラ３６は、ＬＥＤ１の検出照度が第１の所定範囲内（例えば、１９．５〜２０．５Ｌｕｘ）であるか否かを判断する。ＬＥＤ１の検出照度が第１の所定範囲内である場合には（ステップＳ１１の「Ｙｅｓ」）、エンベデッドコントローラ３６は、ディスプレイ側筐体３が閉じている状態と判断する（ステップＳ１３）。ＬＥＤ１の検出照度が第１の所定範囲内でない場合には（ステップＳ１１の「Ｎｏ」）、エンベデッドコントローラ３６は、ディスプレイ側筐体３が開いている状態と判断する（ステップＳ１４）。
【００４４】
他方、ステップＳ１２では、エンベデッドコントローラ３６は、ＬＥＤ２の検出照度が第１の所定範囲内（例えば、１９．５〜２０．５Ｌｕｘ）であるか否かを判断する。ＬＥＤ２の検出照度が第１の所定範囲内である場合には（ステップＳ１２の「Ｙｅｓ」）、エンベデッドコントローラ３６は、ディスプレイ側筐体３が閉じている状態と判断する（ステップＳ１３）。ＬＥＤ２の検出照度が第１の所定範囲内でない場合には（ステップＳ１２の「Ｎｏ」）、エンベデッドコントローラ３６は、ディスプレイ側筐体３が開いている状態と判断する（ステップＳ１４）。
【００４５】
以上説明したように、実施の形態１によれば、本体側筐体２の入力部４側およびディスプレイ側筐体３の表示デバイス５側にそれぞれ設けられ、ディスプレイ側筐体３が閉じられたときに対向する位置に配置され、かつ、表示用の発光手段として機能すると共に、受光手段として機能するＬＥＤ１，２と、ＬＥＤ１，２の受光検出結果に基づいて、ディスプレイ側筐体３の開閉を検出するエンベデッドコントローラ３６と、を備え、ＬＥＤ１，２は、一方が点灯して発光手段として機能してときには、他方が消灯して受光手段として機能するように構成されており、エンベデッドコントローラ３６は、消灯しているＬＥＤの受光検出結果に基づいて、ディスプレイ側筐体３の開閉を検出することとしたので、ノート型パソコン１で表示用で使用されているＬＥＤを受光手段として使用して、ディスプレイ側筐体３の開閉を検出する構成であるので、細かな位置調整が不要で、かつ、低コストな構成でディスプレイ側筐体の開閉を検出することが可能となる。
【００４６】
また、エンベデッドコントローラ３６は、消灯しているＬＥＤの受光検出結果が第１の所定範囲内である場合にディスプレイ側筐体３が閉じられたと判断することとしたので、
簡単な方法でディスプレイ側筐体３の開閉を検出することが可能となる。
【００４７】
また、ＬＥＤ１は、装置が不使用状態の場合に発光するＬＥＤであり、ＬＥＤ２は装置が使用状態の場合に発光するＬＥＤであることとしたので、通常状態および休止状態の両状態において、ディスプレイ側筐体３の開閉を検出することが可能となる。
【００４８】
（実施の形態２）
実施の形態２では、ディスプレイ側筐体３の開閉検出精度を向上させるために、さらに、ディスプレイ側筐体３の表示デバイス５側に配置され、当該ディスプレイ側筐体３が閉じられた場合に遮光される第１の受光手段を、ディスプレイ側筐体３の開閉検出に使用する構成である。
【００４９】
図４は、実施の形態２に係る情報処理装置を適用したノート型パソコンの概略の外観図であり、（ａ）は、ディスプレイ側筐体が開いている状態、（ｂ）は、ディスプレイ側筐体が閉じている状態を示している。図４において、図１と同等機能を有する部位には同一符号を付し、異なる点についてのみ説明する。
【００５０】
図４において、ディスプレイ側筐体３の表示デバイス５側に、カメラ６に隣接してＬＥＤ３（第１の受光手段）が設けられている。このＬＥＤ３は、カメラ用のＬＥＤで、カメラ６を使用中に点灯する。ＬＥＤ３は、ディスプレイ側筐体３が閉じられた状態では当該ディスプレイ側筐体３により遮光され、その検出照度がゼロになるように構成されている。消灯状態のＬＥＤ３の検出照度は、ディスプレイ側筐体３が開いている状態では外部環境の照度となり、ディスプレイ側筐体３が閉じている状態ではゼロとなる。
【００５１】
図５は、ノート型パソコン１の概略のハードウェア構成例を示す図である。図５において、図２と同等機能を有する部位には同一符号を付し、異なる点についてのみ説明する。
【００５２】
図５において、ＬＥＤ３には、ＬＥＤ駆動回路４３およびＬＥＤ受光回路５３が接続されており、エンベデッドコントローラ３６は、ＬＥＤ駆動回路４３およびＬＥＤ受光回路５３の動作を制御して、ＬＥＤ３の点灯および光検出を制御する。エンベデッドコントローラ３６は、カメラ６が動作中の場合に、ＬＥＤ３を点灯させる。カメラ６が動作していない場合にＬＥＤ３は消灯しているので、カメラ６が動作していない間に、ＬＥＤ３をディスプレイ側筐体３の開閉検出用の受光手段として使用する。なお、カメラ６が動作中の場合は、ＬＥＤ３をディスプレイ側筐体３の開閉検出用の受光手段として使用することができないので、カメラ６が動作中の場合は、カメラ６で撮像した画像をディスプレイ側筐体３の開閉検出用に使用することにしてもよい。例えば、ディスプレイ側筐体３が閉じられた場合は、カメラ６の画像は真っ暗になり、ディスプレイ側筐体３が開いている場合は、カメラ６の画像は真っ暗にならないので、この違いをディスプレイ側筐体３の開閉検出に使用することにしてもよい。なお、ディスプレイ側筐体３の開閉検出に使用する第１の受光手段は、カメラ用のＬＥＤに限らず、ＨＤＤ用等の他のＬＥＤを使用することにしてもよく、また、ＬＥＤに限らず、受光手段としてのみ機能する光センサを使用することにしてもよい。
【００５３】
つぎに、エンベデッドコントローラ３６によるディスプレイ側筐体３の実施の形態２に係る開閉検出動作を説明する。図６は、エンベデッドコントローラ３６によるディスプレイ側筐体３の実施の形態２に係る開閉検出動作を説明するためのフローチャートである。エンベデッドコントローラ３６は、所定周期で図６のフローチャートに示す処理を繰り返し実行する。
【００５４】
図６において、まず、エンベデッドコントローラ３６は、システム状態を判断し（ステップＳ２１）、システム状態がＳ０〜Ｓ２である場合には、ステップＳ２２に移行する一方、システム状態がＳ３〜Ｓ５の場合には、ステップＳ２６に移行する。
【００５５】
ステップＳ２２では、エンベデッドコントローラ３６は、ＬＥＤ１の検出照度およびＬＥＤ３の検出照度が所定量以上変化したか否かを判断する。ＬＥＤ１の検出照度およびＬＥＤ３の検出照度が所定量以上変化していない場合には（ステップＳ２２の「Ｎｏ」）、エンベデッドコントローラ３６は、ディスプレイ側筐体３が開いている状態と判断する（ステップＳ２９）。
【００５６】
ＬＥＤ１の検出照度およびＬＥＤ３の検出照度が所定量以上変化した場合には（ステップＳ２２の「Ｙｅｓ」）、エンベデッドコントローラ３６は、ＬＥＤ１の検出照度が第１の所定範囲内（例えば、１９．５〜２０．５Ｌｕｘ）であるか否かを判断する（ステップＳ２３）。ＬＥＤ１の検出照度が第１の所定範囲内でない場合には（ステップＳ２３の「Ｎｏ」）、エンベデッドコントローラ３６は、ディスプレイ側筐体３が開いている状態と判断する（ステップＳ２９）。
【００５７】
ＬＥＤ３の検出照度が第１の所定範囲内である場合には（ステップＳ２３の「Ｙｅｓ」）、エンベデッドコントローラ３６は、ＬＥＤ３の検出照度が第２の所定範囲内（例えば、０〜０．５Ｌｕｘ）であるか否かを判断する（ステップＳ２４）。ＬＥＤ３の検出照度が第２の所定範囲内でない場合には（ステップＳ２４の「Ｎｏ」）、エンベデッドコントローラ３６は、ディスプレイ側筐体３が開いている状態と判断する（ステップＳ２９）。
【００５８】
ＬＥＤ３の検出照度が第２の所定範囲内である場合には（ステップＳ２４の「Ｙｅｓ」）、エンベデッドコントローラ３６は、ディスプレイ側筐体３が閉じ状態と判断する（ステップＳ２５）。
【００５９】
他方、ステップＳ２６では、エンベデッドコントローラ３６は、ＬＥＤ２の検出照度およびＬＥＤ３の検出照度が所定量以上変化したか否かを判断する。ＬＥＤ２の検出照度およびＬＥＤ３の検出照度が所定量以上変化していない場合には（ステップＳ２６の「Ｎｏ」）、エンベデッドコントローラ３６は、ディスプレイ側筐体３が閉じている状態と判断する（ステップＳ２５）。
【００６０】
ＬＥＤ２の検出照度およびＬＥＤ３の検出照度が所定量以上変化した場合には（ステップＳ２６の「Ｙｅｓ」）、エンベデッドコントローラ３６は、ＬＥＤ２の検出照度が第１の所定範囲内であるか否かを判断する（ステップＳ２７）。ＬＥＤ２の検出照度が第１の所定範囲内である場合には（ステップＳ２７の「Ｙｅｓ」）、エンベデッドコントローラ３６は、ディスプレイ側筐体３が閉じている状態と判断する（ステップＳ２５）。
【００６１】
ＬＥＤ２の検出照度が第１の所定範囲内でない場合には（ステップＳ２７の「Ｎｏ」）、エンベデッドコントローラ３６は、ＬＥＤ３の検出照度が第２の所定範囲内であるか否かを判断する（ステップＳ２８）。ＬＥＤ３の検出照度が第２の所定範囲内である場合には（ステップＳ２８の「Ｙｅｓ」）、エンベデッドコントローラ３６は、ディスプレイ側筐体３が閉じている状態と判断する（ステップＳ２５）。
【００６２】
ＬＥＤ３の検出照度が第２の所定範囲内でない場合には（ステップＳ２８の「Ｎｏ」）、エンベデッドコントローラ３６は、ディスプレイ側筐体３が開いた状態と判断する（ステップＳ２９）。
【００６３】
実施の形態２によれば、ディスプレイ側筐体３の表示デバイス５側に配置され、ディスプレイ側筐体３が閉じられた場合に遮光されるＬＥＤ３を設け、ＬＥＤ１の検出照度が第１の所定範囲内にある場合で、かつ、ＬＥＤ３の検出照度が第２の所定範囲内である場合に、ディスプレイ側筐体が閉じられた状態と判断する一方、ＬＥＤ２の受光検出結果が第１の所定範囲外にあり、かつ、ＬＥＤ３の受光検出結果が第２の所定範囲外にある場合に、ディスプレイ側筐体３が開いた状態と判断することとしたので、より高精度にディスプレイ側筐体３の開閉を検出することが可能となる。付言すると、例えば、暗い部屋において、ディスプレイ側筐体３が開いている状態で環境照度が第１の所定範囲内となっても、ディスプレイ側筐体３が閉じた状態であると誤検出することを防止することができる。
【００６４】
（実施の形態３）
実施の形態３では、ディスプレイ側筐体３の開閉検出精度をより向上させるために、さらに、ディスプレイ側筐体３の表示デバイス５側と反対側の面に配置された第２の受光手段を、ディスプレイ側筐体３の開閉検出に使用する構成である。
【００６５】
図７は、実施の形態３に係る情報処理装置を適用したノート型パソコンの概略の外観図であり、（ａ）は、ディスプレイ側筐体が開いている状態、（ｂ）は、ディスプレイ側筐体が閉じている状態を示している。図７において、図４と同等機能を有する部位には同一符号を付し、異なる点についてのみ説明する。
【００６６】
図７において、ディスプレイ側筐体３の表示デバイス５側と反対側の面の下方に一対のＬＥＤ４Ａ、Ｂ（第２の受光手段）が設けられている。ＬＥＤ４Ａ、４Ｂは、ディスプレイ側筐体３が閉じられた状態および開いた状態で環境照度を検出する。ＬＥＤ４Ａ（例えば、緑色のＬＥＤ）は、バッテリ容量が十分な場合に点灯し、ＬＥＤ４Ｂ（赤色のＬＥＤ）は、バッテリ容量が少ない場合に点灯する。ＬＥＤ４Ａ、４Ｂは、一方のＬＥＤのみが点灯し、他方のＬＥＤは必ず消灯しているので、消灯しているＬＥＤをディスプレイ側筐体３の開閉検出用に使用することができる。
【００６７】
図８は、ノート型パソコン１の概略のハードウェア構成例を示す図である。図８において、図５と同等機能を有する部位には同一符号を付し、異なる点についてのみ説明する。
【００６８】
図８において、ＬＥＤ４Ａ，４Ｂには、ＬＥＤ駆動回路４４Ａ、４４ＢおよびＬＥＤ受光回路５４Ａ、５４Ｂがそれぞれ接続されており、エンベデッドコントローラ３６は、ＬＥＤ駆動回路４４Ａ、４４ＢおよびＬＥＤ受光回路５４Ａ、５４Ｂの動作をそれぞれ制御して、ＬＥＤ４Ａ、４Ｂの点灯および光検出を制御する。エンベデッドコントローラ３６は、電源回路３７のバッテリ容量を検出し、バッテリ容量が十分な場合はＬＥＤ４Ａを点灯させ（ＬＥＤ４Ｂは消灯）、バッテリ容量が少ない場合はＬＥＤ４Ｂを点灯させる（ＬＥＤ４Ａは消灯）。エンベデッドコントローラ３６は、ＬＥＤ４Ａ、４Ｂのうち、消灯しているＬＥＤをディスプレイ側筐体３の開閉検出用に使用する。また、エンベデッドコントローラ３６は、現在のディスプレイ側筐体３の開閉状態を示す開閉情報（例えば、開（「１」）、閉（「０」）を内蔵するレジスタに書き込む。また、エンベデッドコントローラ３６は、ＬＥＤ１〜ＬＥＤ４で検出される外部環境の照度を環境照度Ｘとしてメモリに書き込む。なお、ディスプレイ側筐体３の開閉検出に使用する第２の受光手段は、バッテリ用のＬＥＤに限らず、他のＬＥＤを使用することにしてもよく、また、ＬＥＤに限らず、受光手段としてのみ機能するＡＬＳ（ambient light sensor）等の光センサを使用することにしてもよい。
【００６９】
つぎに、エンベデッドコントローラ３６によるディスプレイ側筐体３の実施の形態３に係る開閉検出動作を説明する。図９−１および図９−２は、エンベデッドコントローラ３６によるディスプレイ側筐体３の実施の形態３に係る開閉検出動作を説明するためのフローチャートである。エンベデッドコントローラ３６は、所定周期で図９−１および図９−２のフローチャートに示す処理を繰り返し実行する。なお、図９−１および図９−２において、ＬＥＤ４Ａ，４Ｂのうち、消灯しているＬＥＤをＬＥＤ４と称する。
【００７０】
図９−１において、まず、エンベデッドコントローラ３６は、システム状態を判断し（ステップＳ３０）、システム状態がＳ０〜Ｓ２である場合には、ステップＳ３１に移行する一方、システム状態がＳ３〜Ｓ５の場合には、図９−２のステップＳ５１に移行する。
【００７１】
ステップＳ３１では、エンベデッドコントローラ３６は、レジスタの開閉情報を参照し、現在のディスプレイ側筐体３の開閉状態を判断する。エンベデッドコントローラ３６は、ディスプレイ側筐体３が「開」の場合は、ステップＳ３２に移行する一方、ディスプレイ側筐体３が「閉」の場合は、ステップＳ４０に移行する。
【００７２】
ステップＳ３２では、エンベデッドコントローラ３６は、ＬＥＤ１の検出照度とＬＥＤ３の検出照度を環境照度Ｘ１としてメモリに記憶する。具体的には、例えば、ＬＥＤ１の検出照度とＬＥＤ３の検出照度の平均値を環境照度Ｘ１｛＝（ＬＥＤ１の検出照度＋ＬＥＤ３の検出照度）／２｝とすることができる。
【００７３】
エンベデッドコントローラ３６は、ＬＥＤ１の検出照度およびＬＥＤ３の検出照度が所定量以上変化したか否かを判断する（ステップＳ３３）。ＬＥＤ１の検出照度およびＬＥＤ３の検出照度が所定量以上変化していない場合には（ステップＳ３３の「Ｎｏ」）、エンベデッドコントローラ３６は、ディスプレイ側筐体３が開いている状態と判断し、レジスタに開閉情報「開」を書き込む（ステップＳ３９）。なお、ステップＳ３９において、レジスタに開閉情報「開」が書き込まれている場合は、新たに書き込む必要はない。以下、同様である。
【００７４】
ＬＥＤ１の検出照度およびＬＥＤ３の検出照度が所定量以上変化した場合には（ステップＳ３３の「Ｙｅｓ」）、エンベデッドコントローラ３６は、ＬＥＤ１の検出照度が第１の所定範囲内（例えば、１９．５〜２０．５Ｌｕｘ）であるか否かを判断する（ステップＳ３４）。ＬＥＤ１の検出照度が第１の所定範囲内でない場合には（ステップＳ３４の「Ｎｏ」）、エンベデッドコントローラ３６は、ディスプレイ側筐体３が開いている状態と判断し、レジスタに開閉情報「開」を書き込む（ステップＳ３９）。
【００７５】
ＬＥＤ３の検出照度が第１の所定範囲内である場合には（ステップＳ３４の「Ｙｅｓ」）、エンベデッドコントローラ３６は、ＬＥＤ３の検出照度が第２の所定範囲内（例えば、０〜０．５Ｌｕｘ）であるか否かを判断する（ステップＳ３５）。ＬＥＤ３の検出照度が第２の所定範囲内でない場合には（ステップＳ３５の「Ｎｏ」）、エンベデッドコントローラ３６は、ディスプレイ側筐体３が開いている状態と判断し、レジスタに開閉情報「開」を書き込む（ステップＳ３９）。
【００７６】
ＬＥＤ３の検出照度が第２の所定範囲内である場合には（ステップＳ３５の「Ｙｅｓ」）、エンベデッドコントローラ３６は、ＬＥＤ４の検出照度が記憶している環境照度Ｘ１と略等しいか否かを判断する（ステップＳ３６）。具体的には、例えば、ＬＥＤ４の検出照度が環境照度Ｘ１±５％の範囲内にあるか否かを判断する。ＬＥＤ４の検出照度が記憶している環境照度Ｘ１と略等しい場合には（ステップＳ３６の「Ｙｅｓ」）、エンベデッドコントローラ３６は、ディスプレイ側筐体３が閉じ状態と判断し、レジスタに開閉情報「閉」を書き込む（ステップＳ３８）。なお、ステップＳ３８において、レジスタに開閉情報「閉」が書き込まれている場合は、新たに書き込む必要はない。以下、同様である。
ＬＥＤ４の検出照度が記憶している環境照度Ｘ１と略等しくない場合には（ステップＳ３６の「Ｎｏ」）、エンベデッドコントローラ３６は、ＬＥＤ２を点滅させ、ＬＥＤ１が正しく検知するかを判断する（ステップＳ３７）。ＬＥＤ１が正しく検知した場合は（ステップＳ３７の「Ｙｅｓ」）、エンベデッドコントローラ３６は、ディスプレイ側筐体３が閉じている状態と判断し、レジスタに開閉情報「閉」を書き込む（ステップＳ３８）。
【００７７】
他方、ステップＳ４０では、エンベデッドコントローラ３６は、ＬＥＤ４の検出照度を環境照度Ｘ２としてメモリに記憶する。
【００７８】
エンベデッドコントローラ３６は、ＬＥＤ１の検出照度およびＬＥＤ３の検出照度が所定量以上変化したか否かを判断する（ステップＳ４１）。ＬＥＤ１の検出照度およびＬＥＤ３の検出照度が所定量以上変化していない場合には（ステップＳ４１の「Ｎｏ」）、エンベデッドコントローラ３６は、ディスプレイ側筐体３が閉じている状態と判断し、レジスタに開閉情報「閉」を書き込む（ステップＳ３８）。
【００７９】
ＬＥＤ１の検出照度およびＬＥＤ３の検出照度が所定量以上変化した場合には（ステップＳ４１の「Ｙｅｓ」）、エンベデッドコントローラ３６は、ＬＥＤ２の検出照度が第１の所定範囲内（例えば、１９．５〜２０．５Ｌｕｘ）であるか否かを判断する（ステップＳ４２）。ＬＥＤ２の検出照度が第１の所定範囲内である場合には（ステップＳ４２の「Ｙｅｓ」）、エンベデッドコントローラ３６は、ディスプレイ側筐体３が閉じている状態と判断し、レジスタに開閉情報「閉」を書き込む（ステップＳ３８）。
【００８０】
ＬＥＤ２の検出照度が第１の所定範囲内でない場合には（ステップＳ４２の「Ｎｏ」）、エンベデッドコントローラ３６は、ＬＥＤ３の検出照度が第２の所定範囲内（例えば、１９．５〜２０．５Ｌｕｘ）であるか否かを判断する（ステップＳ４３）。ＬＥＤ３の検出照度が第２の所定範囲内である場合には（ステップＳ４３の「Ｙｅｓ」）、エンベデッドコントローラ３６は、ディスプレイ側筐体３が閉じている状態と判断し、レジスタに開閉情報「閉」を書き込む（ステップＳ３８）。
【００８１】
ＬＥＤ３の検出照度が第２の所定範囲内でない場合には（ステップＳ４３の「Ｎｏ」）、エンベデッドコントローラ３６は、ＬＥＤ１の検出照度が記憶している環境照度Ｘ２と
略等しいか否かを判断する（ステップＳ４４）。具体的には、例えば、ＬＥＤ１の検出照度が環境照度Ｘ２±５％の範囲内にあるか否かを判断する。ＬＥＤ１の検出照度が記憶している環境照度Ｘ２と略等しい場合には（ステップＳ４４の「Ｙｅｓ」）、エンベデッドコントローラ３６は、ディスプレイ側筐体３が開いた状態と判断し、レジスタに開閉情報「開」を書き込む（ステップＳ３９）。
【００８２】
ＬＥＤ１の検出照度が記憶している環境照度Ｘ２と略等しくない場合には（ステップＳ４４の「Ｎｏ」）、エンベデッドコントローラ３６は、ＬＥＤ２を点滅させ、ＬＥＤ１が正しく検知するかを判断する（ステップＳ４５）。ＬＥＤ１が正しく検知した場合は（ステップＳ４５の「Ｙｅｓ」）、エンベデッドコントローラ３６は、ディスプレイ側筐体３が開いた状態と判断し、レジスタに開閉情報「開」を書き込む（ステップＳ３９）。
【００８３】
ステップＳ５１では、エンベデッドコントローラ３６は、レジスタの開閉情報を参照し、現在のディスプレイ側筐体３の開閉状態を判断する。エンベデッドコントローラ３６は、ディスプレイ側筐体３が「開」の場合は、ステップＳ５２に移行する一方、ディスプレイ側筐体３が「閉」の場合は、ステップＳ６０に移行する。
【００８４】
ステップＳ５２では、エンベデッドコントローラ３６は、ＬＥＤ２の検出照度とＬＥＤ３の検出照度を環境照度Ｘ３としてメモリに記憶する。具体的には、例えば、ＬＥＤ２の検出照度とＬＥＤ３の検出照度の平均値を環境照度Ｘ３｛＝（ＬＥＤ２の検出照度＋ＬＥＤ３の検出照度）／２｝とすることができる。
【００８５】
エンベデッドコントローラ３６は、ＬＥＤ２の検出照度およびＬＥＤ３の検出照度が所定量以上変化したか否かを判断する（ステップＳ５３）。ＬＥＤ２の検出照度およびＬＥＤ３の検出照度が所定量以上変化していない場合には（ステップＳ５４の「Ｎｏ」）、エンベデッドコントローラ３６は、ディスプレイ側筐体３が開いている状態と判断し、レジスタに開閉情報「開」を書き込む（ステップＳ３９）。
【００８６】
ＬＥＤ２の検出照度およびＬＥＤ３の検出照度が所定量以上変化した場合には（ステップＳ５３の「Ｙｅｓ」）、エンベデッドコントローラ３６は、ＬＥＤ２の検出照度が第１の所定範囲内（例えば、１９．５〜２０．５Ｌｕｘ）であるか否かを判断する（ステップＳ５４）。ＬＥＤ２の検出照度が第１の所定範囲内でない場合には（ステップＳ５４の「Ｎｏ」）、エンベデッドコントローラ３６は、ディスプレイ側筐体３が開いている状態と判断し、レジスタに開閉情報「開」を書き込む（ステップＳ３９）。
【００８７】
ＬＥＤ３の検出照度が第１の所定範囲内である場合には（ステップＳ５４の「Ｙｅｓ」）、エンベデッドコントローラ３６は、ＬＥＤ３の検出照度が第２の所定範囲内（例えば、０〜０．５Ｌｕｘ）であるか否かを判断する（ステップＳ５５）。ＬＥＤ３の検出照度が第２の所定範囲内でない場合には（ステップＳ５５の「Ｎｏ」）、エンベデッドコントローラ３６は、ディスプレイ側筐体３が開いている状態と判断し、レジスタに開閉情報「開」を書き込む（ステップＳ３９）。
【００８８】
ＬＥＤ３の検出照度が第２の所定範囲内である場合には（ステップＳ５５の「Ｙｅｓ」）、エンベデッドコントローラ３６は、ＬＥＤ４の検出照度が記憶している環境照度Ｘ３と略等しいか否かを判断する（ステップＳ５６）。具体的には、例えば、ＬＥＤ４の検出照度が環境照度Ｘ３±５％の範囲内にあるか否かを判断する。ＬＥＤ４の検出照度が記憶している環境照度Ｘ３と略等しい場合には（ステップＳ５６の「Ｙｅｓ」）、エンベデッドコントローラ５６は、ディスプレイ側筐体３が閉じ状態と判断し、レジスタに開閉情報「閉」を書き込む（ステップＳ３８）。ＬＥＤ４の検出照度が記憶している環境照度Ｘ３と略等しくない場合には（ステップＳ５６の「Ｎｏ」）、エンベデッドコントローラ３６は、ＬＥＤ１を点滅させ、ＬＥＤ２が正しく検知するかを判断する（ステップＳ５７）。ＬＥＤ２が正しく検知した場合は（ステップＳ５７の「Ｙｅｓ」）、エンベデッドコントローラ３６は、ディスプレイ側筐体３が閉じている状態と判断し、レジスタに開閉情報「閉」を書き込む（ステップＳ３８）。
【００８９】
他方、ステップＳ６０では、エンベデッドコントローラ３６は、ＬＥＤ４の検出照度を環境照度Ｘ４としてメモリに記憶する。
【００９０】
エンベデッドコントローラ３６は、ＬＥＤ２の検出照度およびＬＥＤ３の検出照度が所定量以上変化したか否かを判断する（ステップＳ６１）。ＬＥＤ２の検出照度およびＬＥＤ３の検出照度が所定量以上変化していない場合には（ステップＳ６１の「Ｎｏ」）、エンベデッドコントローラ３６は、ディスプレイ側筐体３が閉じている状態と判断し、レジスタに開閉情報「閉」を書き込む（ステップＳ３８）。
【００９１】
ＬＥＤ２の検出照度およびＬＥＤ３の検出照度が所定量以上変化した場合には（ステップＳ６１の「Ｙｅｓ」）、エンベデッドコントローラ３６は、ＬＥＤ２の検出照度が第１の所定範囲内（例えば、１９．５〜２０．５Ｌｕｘ）であるか否かを判断する（ステップＳ６２）。ＬＥＤ２の検出照度が第１の所定範囲内である場合には（ステップＳ６２の「Ｙｅｓ」）、エンベデッドコントローラ３６は、ディスプレイ側筐体３が閉じている状態と判断し、レジスタに開閉情報「閉」を書き込む（ステップＳ３８）。
【００９２】
ＬＥＤ２の検出照度が第１の所定範囲内でない場合には（ステップＳ６２の「Ｎｏ」）、エンベデッドコントローラ３６は、ＬＥＤ３の検出照度が第２の所定範囲内（例えば、１９．５〜２０．５Ｌｕｘ）であるか否かを判断する（ステップＳ６３）。ＬＥＤ３の検出照度が第２の所定範囲内である場合には（ステップＳ６３の「Ｙｅｓ」）、エンベデッドコントローラ３６は、ディスプレイ側筐体３が閉じている状態と判断し、レジスタに開閉情報「閉」を書き込む（ステップＳ３８）。
【００９３】
ＬＥＤ３の検出照度が第２の所定範囲内でない場合には（ステップＳ６３の「Ｎｏ」）、エンベデッドコントローラ３６は、ＬＥＤ２の検出照度が記憶している環境照度Ｘ４と
略等しいか否かを判断する（ステップＳ６４）。具体的には、例えば、ＬＥＤ２の検出照度が環境照度Ｘ４±５％の範囲内にあるか否かを判断する。ＬＥＤ２の検出照度が記憶している環境照度Ｘ４と略等しい場合には（ステップＳ６４の「Ｙｅｓ」）、エンベデッドコントローラ３６は、ディスプレイ側筐体３が開いた状態と判断し、レジスタに開閉情報「開」を書き込む（ステップＳ３９）。
【００９４】
ＬＥＤ２の検出照度が記憶している環境照度Ｘ４と略等しくない場合には（ステップＳ６４の「Ｎｏ」）、エンベデッドコントローラ３６は、ＬＥＤ１を点滅させ、ＬＥＤ２が正しく検知するかを判断する（ステップＳ６５）。ＬＥＤ２が正しく検知した場合は（ステップＳ６５の「Ｙｅｓ」）、エンベデッドコントローラ３６は、ディスプレイ側筐体３が開いた状態と判断し、レジスタに開閉情報「開」を書き込む（ステップＳ３９）。
【００９５】
具体例を用いて説明すると、（１）例えば、システム状態＝Ｓ０、明るい部屋（２５０Ｌｕｘ）において、ＬＥＤ１の検出照度＝２５０Ｌｕｘ、ＬＥＤ２の発光輝度（点灯）＝２０ｎｉｔ、ＬＥＤ３の検出照度＝２５０Ｌｕｘ、ＬＥＤ４の検出照度＝２００ｎｉｔ（ディスプレイ側筐体２の裏面側に配置されているので、ＬＥＤ１，３より少し暗い）である場合、ＬＥＤ１の検出照度＝２５０Ｌｕｘ、ＬＥＤ３の検出照度＝２５０Ｌｕｘを、環境照度Ｘ１として記憶する（上記ステップＳ３２）。ここで、ＬＥＤ１の検出輝照度＝２０Ｌｕｘ、ＬＥＤ２の発光輝度＝２０ｎｉｔ、ＬＥＤ３の検出照度＝０Ｌｕｘ、ＬＥＤ４の検出照度＝２５０Ｌｕｘに変化した場合は、ＬＥＤ１の検出照度およびＬＥＤ３の検出照度が所定量以上変化（上記ステップＳ３３の「Ｙｅｓ」）、ＬＥＤ１の検出照度＝２０Ｌｕｘ（上記ステップＳ３４の「Ｙｅｓ」）、ＬＥＤ３の検出照度＝０（上記ステップＳ３５の「Ｙｅｓ」）、ＬＥＤ４の検出照度＝Ｘ１（上記ステップＳ３６の「Ｙｅｓ」）となり、ディスプレイ側筐体３の閉じ状態が検出される（上記ステップＳ３８）。
【００９６】
（２）例えば、システム状態＝Ｓ０、暗い部屋（１０Ｌｕｘ）において、ＬＥＤ１の検出照度＝１０Ｌｕｘ、ＬＥＤ２の発光輝度（点灯）＝２０ｎｉｔ、ＬＥＤ３の検出照度＝１０Ｌｕｘ、ＬＥＤ４の検出照度＝５ｎｉｔ（ディスプレイ側筐体２の裏面側に配置されているので、ＬＥＤ１，３より少し暗い）である場合、ＬＥＤ１の検出照度＝１０Ｌｕｘ、ＬＥＤ３の検出照度＝１０Ｌｕｘを、環境照度Ｘ１として記憶する（上記ステップＳ３２）。ここで、ＬＥＤ１の検出輝照度＝２０Ｌｕｘ、ＬＥＤ２の発光輝度（点灯）＝２０ｎｉｔ、ＬＥＤ３の検出照度＝０Ｌｕｘ、ＬＥＤ４の検出照度＝１０Ｌｕｘに変化した場合は、ＬＥＤ１の検出照度およびＬＥＤ３の検出照度が所定量以上変化（ステップＳ３３の「Ｙｅｓ」）、ＬＥＤ１の検出照度＝２０Ｌｕｘ（ステップＳ３４の「Ｙｅｓ」）、ＬＥＤ３の検出照度＝０（ステップＳ３５の「Ｙｅｓ」）、ＬＥＤ４の検出照度＝Ｘ１（ステップＳ３６の「Ｙｅｓ」）となり、ディスプレイ側筐体３の閉じ状態が検出される（上記ステップＳ３８）。
【００９７】
（３）例えば、システム状態＝Ｓ３、明るい部屋（２５０Ｌｕｘ）において、ＬＥＤ１の発光輝度（点灯）＝２０ｎｉｔ、ＬＥＤ２の検出輝度＝２０Ｌｕｘ、ＬＥＤ３の検出照度＝０Ｌｕｘ、ＬＥＤ４の検出照度＝２５０ｎｉｔである場合、ＬＥＤ４の検出照度＝２５０Ｌｕｘを、環境照度Ｘ２として記憶する（上記ステップＳ６０）。ここで、ＬＥＤ１の発光輝度（点灯）＝２０ｎｉｔ、ＬＥＤ２の検出照度＝２５０Ｌｕｘ、ＬＥＤ３の検出照度＝２５０Ｌｕｘ、ＬＥＤ４の検出照度＝２００Ｌｕｘに変化した場合は、ＬＥＤ２の検出照度およびＬＥＤ３の検出照度が所定量以上変化（上記ステップＳ６１の「Ｙｅｓ」）、ＬＥＤ２の検出照度＝２５０Ｌｕｘ（上記ステップＳ６２の「Ｎｏ」）、ＬＥＤ３の検出照度＝２５０Ｌｕｘ（上記ステップＳ６３の「Ｎｏ」）、ＬＥＤ２の検出照度＝Ｘ４（上記ステップＳ６４の「Ｙｅｓ」）となり、ディスプレイ側筐体３が開いた状態と検出される（上記ステップＳ３９）。
【００９８】
実施の形態３によれば、ディスプレイ側筐体３の表示デバイス５側と反対側の面の下方にＬＥＤ４を設け、ＬＥＤ１、２のうち消灯しているＬＥＤの検出照度が第１の所定範囲内にあり、ＬＥＤ３の検出照度が第２の所定範囲内であり、かつ、ＬＥＤ４の検出照度が環境照度とが略等しい場合に、ディスプレイ側筐体３が閉じられたと判断する一方、ＬＥＤ１，２のうち消灯しているＬＥＤの検出照度が第１の所定範囲外にあり、ＬＥＤ３の検出照度が第２の所定範囲外にあり、かつ、ＬＥＤ４の検出照度が環境照度とが略等しい場合に、ディスプレイ側筐体３が開いたと判断することとしたので、ＬＥＤ１，２の故障・寿命等により正しい検出照度が得られない場合でも、ディスプレイ側筐体３の開閉の誤検出を防止することが可能となる。
【００９９】
なお、上記した実施の形態では、情報処理装置として、ノート型パソコンを例示して説明したが、本発明はこれに限られるものではなく、ＰＤＡ、携帯電話等の他の情報処理装置に適用可能である。
【産業上の利用可能性】
【０１００】
本発明に係る情報処理装置、情報処理装置の開閉検出装置は、蓋が開閉する情報処理装置に広く適用可能である。
【符号の説明】
【０１０１】
１  ノート型パソコン
２  本体側筐体
３  ディスプレイ側筐体
４  入力部
５  表示デバイス
６  カメラ
７ａ、７ｂ  連結部（ヒンジ）
３１  ＣＰＵ
３２  ＲＯＭ
３２ａ  ＢＩＯＳ
３３  メモリ
３４  ＨＤＤ（ハードディスク）
３４ａ  ＯＳ
３４ｂ  ドライバ
３４ｂ  アプリケーションプログラム
３５  グラフィックスアダプタ
３６  エンベデッドコントローラ
３７  電源回路
４１〜４４  ＬＥＤ駆動回路
５１〜５４  ＬＥＤ受光回路
【図１】
2011095987.tif 000003
【図２】
2011095987.tif 000004
【図３】
2011095987.tif 000005
【図４】
2011095987.tif 000006
【図５】
2011095987.tif 000007
【図６】
2011095987.tif 000008
【図７】
2011095987.tif 000009
【図８】
2011095987.tif 000010
【図９−１】
2011095987.tif 000011
【図９−２】
2011095987.tif 000012